(57)【要約】  本発明は、玩具用折り畳み式の紙化粧台に関し、より詳細には、構成部品を折り畳み式に形成し、分解及び組み立てが簡単になるように構成することで、コンパクト化を実現できるとともに、取り扱い及び持ち運びが容易であり、また、リサイクリングが可能な紙で化粧台を製造することにより、安価で量産性に優れており、かつ、適宜の強度を維持し、外部からの物理的な衝撃による破損を防止できるような玩具用折り畳み式の紙化粧台に関する。これを実現するために、本発明は、内側に複数個切り欠かれた本体の切欠溝と、前記本体の切欠溝の上側に備えられた鏡を有する本体と、前記本体の切欠溝に挿入され、化粧品を置くための台と、側面の突出部と、側面の挿入部と、内側に複数個切り欠かれた側面の切欠溝が形成される側面の壁体と、前記本体の切欠溝と側面の切欠溝に挿入される仕切り板の突出部が形成される仕切り板と、前記仕切り板の間に安着されて物品を収納するための引き出し式の収納部と、前記収納部を開閉するために前記収納部の一側に取り付けられる取っ手と、前記台の突出部と、側面の突出部と、仕切り板の突出部が固定されるように一側が開放される固定手段と、前記本体と、前記台と、前記側面の壁体に固定されて補強される補強手段とを有して構成されることを特徴とする。
2008501470.tif 000002
【特許請求の範囲】
【請求項１】
内側に複数個切り欠かれた本体の切欠溝１１と、前記本体の切欠溝１１の上側に備えられた鏡１２を有する本体１０と、
前記本体の切欠溝１１に挿入される台の突出部２１と、内側に切り欠かれた台の切欠溝２２が形成される台２０と、
前記本体の切欠溝１１に挿入される側面の突出部３１と、前記台の切欠溝２２に挿入される側面の挿入部３２と、
内側に複数個切り欠かれた側面の切欠溝３３が形成される側面の壁体３０と、
前記本体の切欠溝１１と側面の切欠溝２２に挿入される仕切り板の突出部４１が形成される仕切り板４０と、
前記仕切り板４０の間に安着されて物品を収納するための引き出し式の収納部５０と、
前記収納部５０を開閉するために前記収納部５０の一側に取り付けられる取っ手６０と、
前記本体１０の後面と側面の壁体３０の側面において、前記台の突出部２１と、側面の突出部３１と、仕切り板の突出部４１が固定されるように一側が開放される固定手段７０と、
前記本体１０の上端及び下端と、前記台２０の両側端と、前記側面の壁体３０の下端に固定されて補強される補強手段８０とを有して構成されることを特徴とする玩具用折り畳み式の紙化粧台。
【請求項２】
前記本体１０と、台２０と、側面の壁体３０と、仕切り板は、二重に形成されており、その間は接着剤で結合されていることを特徴とする請求項１に記載の玩具用折り畳み式の紙化粧台。
【請求項３】
前記収納部５０は、内側に四角形の底面５１と、前記底面５１の両側端から延在して直角に折曲される側面部５２と、前記底面５１の前端から延在して直角に折曲される前面部５３と、前記底面５１の後端から延在して直角に折曲される後面部５４と、前記前面部５３の内側に複数個穿孔された挿入孔５５とから構成されることを特徴とする請求項１に記載の玩具用折り畳み式の紙化粧台。
【請求項４】
前記側面部５２は、前記底面５１の両側端から延在して折曲される第１側面５２ａと、前記第１側面５２ａから延在して前記第１側面５２ａと対向して密着される第２側面５２ｂと、前記第２側面５２ｂから延在して折曲され、底面に密着される第３側面５２ｃと、前記第１側面５２ａの両側から延在して折曲され、前記前面部３３と後面部５４の内側に挿入される第１側面の挿入部５２ｄと、前記第２側面５２ｂの両側から延在して折曲され、前記前面部５３と後面部５４の内側に挿入される第２側面の挿入部５２ｅとから構成され、
前記前面部５３は、前記底面５１の前後端から延在して折曲される第１前面５３ａと、前記第１前面５３ａから延在して前記第１前面５３ａと対向して密着される第２前面５３ｂと、前記第２前面５３ｂから延在して折曲され、底面に密着される第３前面５３ｃとから構成され、前記後面部５４は、前記底面５１の後端から延在して折曲される第１後面５４ａと、前記第１後面５４ａから延在して前記第１後面５４ａと対向して密着される第２後面５４ｂと、前記第２後面５４ｂから延在して折曲され、底面に密着される第３後面５４ｃとから構成されることを特徴とする請求項３に記載の玩具用折り畳み式の紙化粧台。
【請求項５】
前記取っ手６０は、前記収納部５０の挿入孔５５に挿入されて固定される矢印形状の係止部６１と、前記係止部６１と延在して把持される把持部６２とから構成されることを特徴とする請求項１に記載の玩具用折り畳み式の紙化粧台。
【請求項６】
前記台の突出部２１と、側面の突出部３１と、仕切り板の突出部４１は、両側面が傾斜していることを特徴とする請求項１に記載の玩具用折り畳み式の紙化粧台。
【請求項７】
前記固定手段７０は、前記台の突出部２１と、側面の突出部３１と、仕切り板の突出部４１の両側面に傾斜している傾斜部と一致するようにテーパが形成された固定部７１と、前記固定部７１の挿入が容易になるように両側面に対向して切開された切開溝７２と、前記固定部７１の回転が容易になるように穿孔された切開孔７３とから構成されることを特徴とする請求項１に記載の玩具用折り畳み式の紙化粧台。
【請求項８】
前記補強手段８０は、前記本体１０の上端及び下端と、前記台２０の両側端と、前記側面の壁体３０の下端に固定されて補強される凹凸形状の補強本体８１と、前記補強本体８１の両側端から延在して突出された密着部８２と、前記密着部８２の間において前記補強本体８１から延在して突出し、二重の端面の間に挿入される挿入部８３とから構成されることを特徴とする請求項１に記載の玩具用折り畳み式の紙化粧台。
【発明の詳細な説明】
【技術分野】
【０００１】
本発明は、玩具用折り畳み式の紙化粧台に関し、より詳細には、折り畳み式に形成し、分解及び組み立てが簡単になるように構成することで、コンパクト化を実現するとともに、取り扱い及び持ち運びが容易であり、また、リサイクルが可能な紙で化粧台を製造することで、安価で量産性に優れており、かつ、適宜の強度を維持し、外部からの物理的な衝撃による破損を防止できるような玩具用折り畳み式の紙化粧台に関する。
【背景技術】
【０００２】
一般に組立式玩具は、紙や合成樹脂または金属材で製造され、解説書に記載された方法に基づいて組み立てるようになっている。
【０００３】
しかしながら、前記合成樹脂または金属材の組立式玩具は、その材質上、外部衝撃に強いという利点はあるものの、原材料がそれ自体重量物であることから、製造工程段階から出荷段階までの取り扱い及び運搬が面倒である。また、廃棄時にリサイクルができなかったり、高価な処理費用がかかるなどの不具合があり、さらに、多様な部品が結合されて組み立てられているので、使用者が自由にその構造を分解及び変更することができないという問題点があった。
【０００４】
また、紙材質の組立式玩具は、モデル紙に印刷されている部分品をはさみやカットなどで切り取り、解説書に記載されている方法に基づいて糊で貼ったり、互いに噛み合わせて完成するが、前記合成樹脂材や金属材で製造される玩具と比較して、重量が軽いので取り扱い及び持ち運びが便利であるとともに、材料が安価であるという利点がある。
【０００５】
しかしながら、前記した従来の紙材質の組立式玩具は、その材質上、外部の物理的な衝撃に破損し易く、また、多様な部品が糊などで組み立てられており、分解が難しい構造を有し、使用者が自由に構造を変更することができないという問題点があった。
【発明の開示】
【発明が解決しようとする課題】
【０００６】
本発明は上記従来の問題点に鑑みてなされたものであって、本発明の目的は、構成部品を折り畳み式に形成してコンパクト化を実現し、分解及び組み立てが簡単になるように構成し、取り扱い及び持ち運びが容易であり、リサイクリングが可能な紙で化粧台を製造することにより、製造コストを節減できるとともに、適宜の強度を維持し、外部からの物理的な衝撃による破損を防止できるような玩具用折り畳み式の紙化粧台を提供することにある。
【課題を解決するための手段】
【０００７】
上記目的を達成するためになされた本発明による折り畳み式の玩具用紙化粧台は、内側に複数個切り欠かれた本体の切欠溝と、前記本体の切欠溝の上側に備えられた鏡を有する本体と、前記本体の切欠溝に挿入される台の突出部と、内側に切り欠かれた台の切欠溝が形成される台と、前記本体の切欠溝に挿入される側面の突出部と、前記台の切欠溝に挿入される側面の挿入部と、内側に複数個切り欠かれた側面の切欠溝が形成される側面の壁体と、前記本体の切欠溝と側面の切欠溝に挿入される仕切り板の突出部が形成される仕切り板と、前記仕切り板の間に安着されて物品を収納するための引き出し式の収納部と、前記収納部を開閉するために前記収納部の一側に取り付けられる取っ手と、前記本体の後面と側面の壁体の側面において、前記台の突出部と側面の突出部と仕切り板の突出部が固定されるように一側が開放される固定手段と、前記本体の上端及び下端と前記台の両側端と前記側面の壁体の下端に固定され補強される補強手段とを有して構成されることを特徴とする。
【０００８】
前記本体と、台と、側面の壁体及び仕切り板は二重に形成されており、その間は接着剤で結合されていることを特徴とする。
【０００９】
前記収納部は、内側において、四角形の底面と、前記底面の両側端から延在して直角に折曲される側面部と、前記底面の前端から延在して直角に折曲される前面部と、前記底面の後端から延在して直角に折曲される後面部と、前記前面部の内側に複数個穿孔された挿入孔とから構成されていることを特徴とする。
【００１０】
前記側面部は、前記底面の両側端から延在して折曲される第１側面と、前記第１側面から延在して前記第１側面と対向して密着される第２側面と、前記第２側面から延在して折曲されて底面に密着される第３側面と、前記第１側面の両側から延在して折曲されて前記前面部と後面部の内側に挿入される第１側面の挿入部と、前記第２側面の両側から延在して折曲されて前記前面部と後面部の内側に挿入される第２側面の挿入部とから構成されており、前記前面部は、前記底面の前後端から延在して折曲される第１前面と、前記第１前面から延在して前記第１前面と対向して密着される第２前面と、前記第２前面から延在して折曲され底面に密着される第３前面とから構成されており、前記後面部は、前記底面の後端から延在して折曲される第１後面と、前記第１後面から延在して前記第１後面と対向して密着される第２後面と、前記第２後面から延在して折曲され底面に密着される第３後面とから構成されていることを特徴とする。
【００１１】
前記取っ手は、前記収納部の挿入孔に挿入されて固定される矢印形状の係止部と、前記係止部と延在して把持される把持部とから構成されていることを特徴とする。
【００１２】
前記台の突出部と、側面の突出部と、仕切り板の突出部は、両側面が傾斜していることを特徴とする。
【００１３】
前記固定手段は、前記台の突出部と、側面の突出部と、仕切り板の突出部の両側面に傾斜している傾斜部と一致するようにテーパが形成された固定部と、前記固定部の挿入が容易になるように両側面に対向して切開された切開溝と、前記固定部の回転が容易になるように穿孔された切開孔とから構成されていることを特徴とする。
【００１４】
前記補強手段は、前記本体の上端及び下端と、前記台の両側端と前記側面の壁体の下端に固定されて補強される凹凸形状の補強本体と、前記補強本体の両側端から延在して突出する密着部と、前記密着部の間で前記補強本体から延在して突出し、二重の端面の間に挿入される挿入部とから構成されていることを特徴とする。
【発明を実施するための最良の形態】
【００１５】
以下、本発明の好適な実施例を図面を参照しながら詳細に説明する。
【００１６】
図１は、本発明による一実施例の組立状態を示した斜視図であり、図２は、図１の分解斜視図であり、図３は、引き出しの展開図であり、図４は、取っ手の斜視図であり、図５は、固定手段の断面図であり、図６は、補強手段の斜視図である。
【００１７】
図１及び図２に示したように、本発明による玩具用折り畳み式の紙化粧台は、後面の壁体からなる本体１０と、前記本体１０に挿入され化粧品を置くための台２０と、前記本体１０と台２０に挿入されて両側面を支持する側面の壁体３０と、前記本体１０と側面の壁体３０に挿入される２つの仕切り板４０と、前記仕切り板４０の間に安着されて物品を収納するための引き出し式の収納部５０と、前記収納部５０を開閉するために把持される取っ手６０と、前記本体１０と、台２０と、側面の壁体３０と、仕切り板４０が固定されるように一側が開放された固定手段７０と、前記本体１０の上端及び下端と、前記台２０の両側端と、前記側面の壁体３０の下端に固定されて補強される補強手段８０とから構成されている。
【００１８】
前記本体１０には、上側と側面及び内側にそれぞれ２つの切り欠かれた本体の切欠溝１１と、前記本体の切欠溝１１の上側に備えられたプラスチック材の鏡１２が設けられている。
【００１９】
前記台２０には、本体の切欠溝１１に挿入されるように突出された台の突出部２１と、内側に切り欠かれた台の切欠溝２２が２つ設けられている。
【００２０】
前記側面の壁体３０には、本体の切欠溝１１に挿入されるように側面の一端に突出された側面の突出部３１と、前記台の切欠溝２２に挿入されるように上端に突出された側面の挿入部３２と、内側に前記仕切り板４０が挿入されるように切り欠かれた２つの側面の切欠溝３３が設けられている。
【００２１】
図３に示すように、前記収納部５０は、内側に四角形の底面５１と、前記底面５１の両側端から延在して直角に折曲される側面部５２と、前記底面５１の前端から延在して直角に折曲される前面部５３と、前記底面５１の後端から延在して直角に折曲される後面部５４と、前記前面部５３の内側に２つ穿孔された挿入孔５５とにより形成されている。
【００２２】
また、前記側面部５２は、前記底面５１の両側端から延在して折曲される第１側面５２ａと、前記第１側面５２ａから延在して前記第１側面５２ａと対向して密着される第２側面５２ｂと、前記第２側面５２ｂから延在して折曲され、底面に密着される第３側面５２ｃと、前記第１側面５２ａの両側から延在して折曲され、前記前面部３３と後面部５４の内側に挿入される第１側面の挿入部５２ｄと、前記第２側面５２ｂの両側から延在して折曲され、前記前面部５３と後面部５４の内側に挿入される第２の側面の挿入部５２ｅとにより形成され、前記前面部５３は、前記底面５１の前後端から延在して折曲される第１前面５３ａと、前記第１前面５３ａから延在して前記第１前面５３ａと対向して密着される第２前面５３ｂと、前記第２前面５３ｂから延在して折曲され、底面に密着される第３前面５３ｃとにより形成され、前記後面部５４は、前記底面５１の後端から延在して折曲される第１後面５４ａと、前記第１後面５４ａから延在し、前記第１後面５４ａと対向して密着される第２後面５４ｂと、前記第２後面５４ｂから延在して折曲され、底面に密着される第３後面５４ｃとにより形成される。
【００２３】
図４に示すように、前記取っ手６０は、収納部５０を開閉するために、前記収納部５０の一側に挿入されており、前記収納部５０の挿入孔５５に挿入されて固定される矢印形状の係止部６１と、前記係止部６１と延在して把持される把持部６２とにより形成される。
【００２４】
図５に示すように、前記固定手段７０は、前記台の突出部２１と、側面の突出部３１と、仕切り板の突出部４１は、両側面に傾斜している傾斜部と一致するようにテーパが形成された固定部７１と、前記固定部７１の挿入が容易になるように両側面に対向して切開された切開溝７２と、前記固定部７１の回転が容易になるように穿孔された切開孔７３とから構成されている。
【００２５】
図６に示すように、前記補強手段８０は、前記本体１０の上端及び下端と、前記台２０の両側端と、前記側面の壁体３０の下端に固定されて補強される凹凸形状の補強本体８１と、前記補強本体８１の両側端から延在して突出して密着される密着部８２と、前記密着部８２の間で前記補強本体８１から延在して突出し、二重の端面の間に挿入される挿入部８３とにより形成される。
【００２６】
前記本体１０と、台２０と、側面壁体３０と、仕切り板４０は、二重に形成されており、その間は接着剤で結合されるように形成される。
【００２７】
このような構成を有する本発明による玩具用折り畳み式の紙化粧台の作用を以下に述べる。
【００２８】
図１及び図２に示すように、本発明による玩具用折り畳み式の紙化粧台を組み立てる際には、後面の壁体により形成される本体１０の本体切欠溝１１に玩具用の化粧品などを置くための前記台２０の台突出部２１を挿入する。次いで、前記本体１０と台２０に両側面を支持する前記側面の壁体３０に形成される側面の突出部３１を前記本体の切欠溝１１に挿入し、前記側面の挿入部３２を台の切欠溝２２に挿入する。
【００２９】
その後、前記仕切り板４０に形成される仕切り板の突出部４１を前記本体の切欠溝１１と側面の切欠溝３３に挿入し、前記仕切り板４０の間に物品を収納するための引き出し式の収納部５０を挿入して安着させる。
【００３０】
この際、前記収納部５０の前面には把持される前記取っ手６０が固定されており、前記本体１０と、台２０と、側面の壁体３０と、仕切り板４０が固定されるように、一側が開放された固定手段７０が挿入され、前記本体１０の上端及び下端と、前記台２０の両側端と、前記側面の壁体３０の下端には補強手段８０が安着されて強度が維持される。
【００３１】
なお、前記本体１０にはプラスチック材の鏡１２が備えられており、化粧する時に使用することができる。
【００３２】
また、前記本体１０と、台２０と、側面の壁体３０と、仕切り板４０は、二重に形成されており、その間は接着剤で結合されることにより、紙化粧台の強度を増加させることができる。
【００３３】
図３に示すように、前記収納部５０は、内側に四角形の底面５１の両側端から延在した前記側面部５２が直角に折曲されており、前記底面５１の前端から延在した前記前面部５３が直角に折曲されており、前記底面５１の後端から延在した後面部５４が直角に折曲され、引き出し式の前記仕切り板４０の間に安着されることによって、内側には多様な玩具用の化粧品などを収納して使用することができる。
【００３４】
図４に示すように、前記取っ手６０は、両端に矢印形状の係止部６１が形成されており、前記挿入孔５５に挿入する場合は、矢印の尖った部分が前記挿入孔５５に容易に挿入され、前記挿入孔５５から脱去する場合は、矢印の両側の翼部にかかって脱去されないので、前記把持部６２を把持して前記収納部５０を開閉することができる。
【００３５】
図５に示すように、前記固定手段７０の固定部７１は、前記台の突出部２１と、側面の突出部３１と、仕切り板の突出部４１の両側面に傾斜している傾斜部と一致するようにテーパが形成され、前記突出部と密着されて安全に固定されており、前記固定部７１の両側面に対向して切開される切開溝７２は、前記固定手段７０を容易に挿入し、前記固定部７１の側面に穿孔された切開孔７３は、前記固定手段７０を容易に回転させる。
【００３６】
図６に示すように、前記補強手段８０は、前記本体１０の上端及び下端と、前記台２０の両側端と、前記側面の壁体３０の下端に固定されており、凹凸形状の補強本体８１の両側端から延在して突出する密着部８２が端面に密着され、二重の端面の間に挿入される前記挿入部８３が端面に密着されて固定されることによって、二重に分離されている端面が完璧に補強される。以上のことにより、持ち運ぶ時に外部衝撃を受けたり、使用中に端面に強い荷重がかかったり、あるいは不注意などで水に濡れたりする場合にも、前記補強手段８０により端面部が損傷されることを事前に防止することができる。
【００３７】
尚、本発明は、本発明の属する技術分野における通常の知識を有する者であれば、本発明の技術的範囲から逸脱しない範囲内で多様に置換、変形及び変更を行うことが可能である。よって、上述の実施例及び図面に限られるものではない。
【産業上の利用可能性】
【００３８】
以上のことにより、本発明による玩具用折り畳み式の紙化粧台は、本体を一体型に形成し、前記本体に仕切り板と引き出しを容易に挿入することで、分解及び組み立てが極めて簡単であり、また、紙で製作することによってリサイクルが可能であるとともに、安価な費用で生産できるという効果を有する。
【００３９】
また、収納部を分解及び組み立てが容易な一体型に形成することで、収納空間を簡単に確保し、多様な玩具用の化粧品などを収納することができる。
【００４０】
また、補強手段を二重の端面部に挿入して補強することにより、持ち運ぶ時に外部から衝撃を受けたり、使用中に端面に強い荷重がかかったり、あるいは不注意などで水に濡れる場合にも、前記補強手段により端面部が損傷されることを完璧に防止できるという効果を有する。
【図面の簡単な説明】
【００４１】
【図１】本発明による一実施例の組立状態を示す斜視図
【図２】図１の分解斜視図
【図３】引き出しの展開図
【図４】取っ手の斜視図
【図５】固定手段の断面図
【図６】補強手段の斜視図
【図１】
2008501470.tif 000003
【図２】
2008501470.tif 000004
【図３】
2008501470.tif 000005
【図４】
2008501470.tif 000006
【図５】
2008501470.tif 000007
【図６】
2008501470.tif 000008
【国際調査報告】
2008501470.tif 000009